(57)【特許請求の範囲】
【請求項１】
汎用計算機のネットワークインタフェースを用いて、パケットキャプチャによるネットワーク品質計測を行う際に、該汎用計算機の内蔵時計に基づいてキャプチャされたパケットに付与されたタイムスタンプを精度良く補正する方法であって、
該汎用計算機は、ネットワーク時刻同期プロトコル（以下、ＮＴＰ）サーバから通知される時刻補正データにより得られる時刻と、前記内蔵時計の時刻との同期をしない設定にしておき、
該汎用計算機は、該ＮＴＰサーバへ定期的に問い合わせを行うことにより、該ＮＴＰサーバから時刻補正データを取得し、
該汎用計算機は、取得した時刻補正データにより得られる時刻と問い合わせ時の内蔵時計の時刻との誤差を、該問い合わせ時の内蔵時計の時刻毎に記録し、
該汎用計算機は、記録した複数の問い合わせ時の内蔵時計の時刻毎の誤差に基づいて、該内蔵時計の時刻と該誤差との時系列の関係を統計的に求め、
該汎用計算機は、求めた前記関係から得られるパケットキャプチャ時の内蔵時計の誤差に基づいて、タイムスタンプの値を補正することを特徴とするパケット測定における後処理時刻補正による精度改善方法。
【請求項２】
汎用計算機のネットワークインタフェースを用いて、パケットキャプチャによるネットワーク品質計測を行う際に、該汎用計算機の内蔵時計に基づいてキャプチャされたパケットに付与されたタイムスタンプを精度良く補正する方法であって、
該汎用計算機は、ネットワーク時刻同期プロトコル（以下、ＮＴＰ）サーバから通知される時刻補正データにより得られる時刻と、前記内蔵時計の時刻との同期をしない設定にしておき、
計測時に、測定対象サーバから測定対象クライアント端末への通信パケットを、接続しているスイッチのミラーポートへコピーし、計測用の汎用計算機のキャプチャ用ポートを介して、該通信パケットをキャプチャし、
該汎用計算機は、該通信パケットをキャプチャするのと同じ時間帯に、前記スイッチの別のＮＴＰ通信用ポートを利用して、ＮＴＰサーバへ定期的に問い合わせを行うことにより、該ＮＴＰサーバから時刻補正データを取得し、
該汎用計算機は、取得した時刻補正データにより得られる時刻と問い合わせ時の内蔵時計の時刻との誤差を、該問い合わせ時の内蔵時計の時刻毎に記録し、
該汎用計算機は、記録した複数の問い合わせ時の内蔵時計の時刻毎の誤差に基づいて、該内蔵時計の時刻と該誤差との時系列の関係を統計的に求め、
該汎用計算機は、求めた前記関係から得られるパケットキャプチャ時の内蔵時計の誤差に基づいて、タイムスタンプの値を補正することを特徴とするパケット測定における後処理時刻補正による精度改善方法。
【請求項３】
汎用計算機のネットワークインタフェースを用いて、パケットキャプチャによるネットワーク品質計測を行う際に、該汎用計算機の内蔵時計に基づいてキャプチャされたパケットに付与されたタイムスタンプを精度良く補正するシステムであって、
計測時に、測定対象サーバから測定対象クライアント端末への通信パケットを経由させる際に、該通信パケットをミラーポートへコピーして、該ミラーポートを介して接続されている計測用の汎用計算機のキャプチャ用ポートに該通信パケットを転送するスイッチ手段と、
時刻補正データを通知するネットワーク時刻同期プロトコル（以下、ＮＴＰ）サーバと、
ＮＴＰサーバから通知される時刻補正データにより得られる時刻と、前記内蔵時計の時刻との同期をしない設定にされ、計測時に前記通信パケットをキャプチャすると共に、該通信パケットをキャプチャするのと同じ時間帯に、前記スイッチ手段の別のＮＴＰ通信用ポートを利用して、ＮＴＰサーバへ定期的に問い合わせを行うことにより、該ＮＴＰサーバから時刻補正データを取得し、取得した時刻補正データにより得られる時刻と問い合わせ時の内蔵時計の時刻との誤差を、該問い合わせ時の内蔵時計の時刻毎に記録し、記録した複数の問い合わせ時の内蔵時計の時刻毎の誤差に基づいて、該内蔵時計の時刻と該誤差との時系列の関係を統計的に求め、求めた前記関係から得られるパケットキャプチャ時の内蔵時計の誤差に基づいて、タイムスタンプの値を補正する計測用汎用計算機と、
を有することを特徴とするパケット測定における後処理時刻補正システム。
【請求項４】
汎用計算機のネットワークインタフェースを用いて、パケットキャプチャによるネットワーク品質計測を行う際に、該汎用計算機の内蔵時計に基づいてキャプチャされたパケットに付与されたタイムスタンプを精度良く補正するプログラムであって、
汎用計算機に、
ネットワーク時刻同期プロトコル（以下、ＮＴＰ）サーバから通知される時刻補正データにより得られる時刻と、前記内蔵時計の時刻との同期をしない設定をする手順、
計測時に、測定対象サーバから測定対象クライアント端末への通信パケットを、接続しているスイッチのミラーポートを介して、キャプチャ用ポートからキャプチャする手順、
該通信パケットをキャプチャするのと同じ時間帯に、前記スイッチの別のＮＴＰ通信用ポートを利用して、ＮＴＰサーバへ定期的に問い合わせを行うことにより、該ＮＴＰサーバから時刻補正データを取得する手順、
取得した時刻補正データにより得られる時刻と問い合わせ時の内蔵時計の時刻との誤差を、該問い合わせ時の内蔵時計の時刻毎に記録する手順、
記録した複数の問い合わせ時の内蔵時計の時刻毎の誤差に基づいて、該内蔵時計の時刻と該誤差との時系列の関係を統計的に求める手順、
求めた前記関係から得られるパケットキャプチャ時の内蔵時計の誤差に基づいて、タイムスタンプの値を補正する手順を、
それぞれ実行させるためのパケット測定における後処理時刻補正用プログラム。
【発明の詳細な説明】
【技術分野】
【０００１】
本発明は、ＩＰ通信などのパケット通信ネットワークにおいて、通信パケットをキャプチャすることにより、品質測定を行う際に活用できる方法、すなわち、パケットキャプチャとそのタイムスタンプによるネットワーク品質測定技術に関する。
【背景技術】
【０００２】
汎用計算機（パソコン）を用いて、パケットキャプチャによるネットワーク計測を行う場合、遅延や遅延ゆらぎといった指標はＩＴＵ−Ｔ  Ｙ．１５４０勧根といった国際標準においても定められている指標で、重要な測定項目である。
この遅延や遅延ゆらぎを計測するためには、パケットキャプチャ時にキャプチャした正確な時刻を記録する、つまりタイムスタンプを付与する必要がある。
この際、典型的には測定対象の遅延・遅延ゆらぎの値がｍｓ（ミリ秒）の単位であることから、タイムスタンプにも少なくとも１ｍｓ程度、できれば０．１ｍｓ程度の精度が必要である。
【０００３】
パソコンで計測を行う際には、パケットのタイムスタンプ付与をソフトウェアで行うが、測定用途ではない汎用ハードウェアのパソコンを用いると、一般には精度の良くない時計を内蔵しているため、時計の誤差が計測精度に悪影響をもたらす。
従来は、この点を解決するために、以下のような手法が用いられてきた。
ａ．計測用パソコンに、ＧＰＳ電波やＣＤＭＡ電波による高価な時刻供給源を接続して、計測用パソコンの時刻を時刻供給源と同期させる方法。
ｂ．ネットワーク上の時刻同期サービス（ＮＴＰサーバ）と、計測用パソコンを時刻同期させる方法。
ｃ．計測用パソコンの内蔵時計を高精度な時計素子に交換する方法。
【０００４】
【非特許文献１】川口  銀河、織  克典、“パケットキャプチャ精度評価における時刻較正法”２００７年電子情報通信学会通信ソサイエティ大会講演論文集２、Ｂ−７−４６
【発明の開示】
【発明が解決しようとする課題】
【０００５】
前述の従来の手法では、以下のような問題点がある。
＊ａ．およびｃ．については、高価な特殊機材が必要であること。
＊ａ．については、さらに室内などで電波が届き難い場合などに適用範囲が制限されること。
＊ｂ．については、ＮＴＰ（ネットワーク時刻同期プロトコル）を使用する場合には、常時補正・同期する設定にすると、数分に一度程度のタイミングで時刻補正・修正が実施され、各修正のタイミングの前後でローカルのパソコンの時計がずれたり、変化が安定しなくなるなどの影響があること、および、ＮＴＰ自体がネットワークの遅延などの影響を受け、常にｍｓの精度が得られるわけではないこと。
【０００６】
（目的）
本発明の目的は、このような従来の手法の問題を解消するために、一般の安価なパソコンによる測定について、従来よりも高精度に時計精度の低さからくる問題を解決し、タイムスタンプの高精度化を可能とするパケット測定における後処理時刻補正による精度改善方法および補正システム、ならびにそのプログラムを提供することにある。
【課題を解決するための手段】
【０００７】
本発明のパケット測定における後処理時刻補正による精度改善方法は、パケットがキャプチャされた時刻を、実際の時刻からの誤差を含むＰＣの内蔵時計で計測する場合に、ＰＣの内蔵時計を常にＮＴＰ（ネットワーク時刻同期プロトコル）サーバと同期させるのではなく、ＮＴＰサーバと内蔵時計の誤差を把握し、パケットキャプチャ時のタイムスタンプを補正することにより、タイムスタンプの高精度化を可能にする。
また、本発明の後処理時刻補正システムは、計測時に、測定対象サーバから測定対象クライアント端末への通信パケットを経由させる際に、該通信パケットをミラーポートへコピーして、該ミラーポートを介して接続されている計測用汎用計算機のキャプチャ用ポートに該通信パケットを転送するスイッチ手段と、ネットワークの時刻同期を行うＮＴＰサーバと、該ＮＴＰサーバとの間で、ＮＴＰ通信用ポートを介して通知パケットおよび問い合わせに対する応答パケットを受信して、定期的に該ＮＴＰサーバからのパケットによる時刻のズレを監視し、算出した補正量により上記通信パケットキャプチャ時のタイムスタンプの値を修正する計測用汎用計算機とで構成される。
【発明の効果】
【０００８】
本発明によれば、一般の安価なパソコンによる測定について、従来よりも高精度に時計精度の低さからくる問題を解決し、タイムスタンプの高精度化を可能にする。
【発明を実施するための最良の形態】
【０００９】
まず、一般のパソコンにおいて、内蔵時計の精度が悪いのは、温度変化などにより精度を維持できないためであって、適切な補正をすれば、数分〜数十分単位では測定に十分なレベルで安定していることが分っている（上記非特許文献１における時刻更正法参照）。なお、ここで言う、十分なレベルでの安定とは、『時計自体に起因するズレは０．１ｍｓ以下程度』ということである。
【００１０】
前述のｂ．のＮＴＰによる補正の問題点は、主として以下の２点である。
１）ＮＴＰサーバからのｎｔｐパケットがネットワーク上を伝わってくるため、時刻精度が安定しないこと。
２）ＮＴＰサーバからｎｔｐパケットにより通知された時刻情報による時刻補正をローカル側パソコンの内部時計に対して随時実施することにより、以下の問題点が発生して、内蔵時計の刻む時間が安定しないこと。
＊内蔵時計の修正をする瞬間での時刻の飛び
＊修正前後での時計の速度の差（時計の自走速度を補正するパラメータをＯＳに適用    するため）
【００１１】
上記１）については、ＮＴＰサーバからの各ＮＴＰパケット個別に評価するのではなく、定期的なＮＴＰ時刻通知パケットの時刻情報とローカルの内部時計との差を時間の経過と共に記録して統計的に評価することにより、精度を改善できる。
また、２）にある問題点は、『内蔵時計をＮＴＰにより同期させることを敢えてしない』という設定をすることにより、問題を回避できる。
ＮＴＰにより同期をしないことにより時間がずれることについては、上記１）の対策に関連して、時刻データの補正をすることが前提であるため、計測結果に対しては悪影響はない。
なお、誤差評価・処理内容は、ＮＴＰ時刻同期ソフトウェア（ＮＴＰデーモン）が内部で処理している内容とほぼ同様の処理内容であるが、通常、ＮＴＰデーモンが内部で処理してしまうと、上記２）の問題点の部分がパケットのキャプチャデータ処理と対比できなくなるため、測定目的に絞る場合には、ＮＴＰデーモンの同期処理を回避する方法が有効である。
【００１２】
以下、具体的な実施例を、図面により説明する。
図１は、本発明のパケット測定における後処理時刻補正による精度改善方法の説明図である。
図１において、１は通信を交換するスイッチ、２はＮＴＰサーバ、３は測定対象クライアント端末、４は計測用ＰＣ（パソコン）、５は測定対象サーバ、１１はスイッチ１におけるミラーポート、４１は計測用ＰＣ４のＮＴＰ通信用ポート、４２は同じく計測用ＰＣ４のキャプチャ用ポートである。
【００１３】
ここでは、以下のような構成を例に説明する。
＊計測用ＰＣ４、
＊ＮＴＰサーバ２、
＊計測対象パケットストリーム（Ｐ）：ｐ１，ｐ２，ｐ３，・・・・、
＊計測対象パケットキャプチャのタイムスタンプ（Θ）；τ１，τ２，τ３，・・・、
＊ＮＴＰサーバ問い合わせ時刻（Ｔ）：ｔ１，ｔ２，ｔ３，・・・
＊ＮＴＰサーバ応答にある時刻ズレ回答量（Ｄ）：ｄ１，ｄ２，ｄ３，・・・、
ＰＣからは、
（１）ネットワークポートを通じて、ＮＴＰサーバと通信ができること（ＮＴＰパケットのやりとりが可能であること）、
（２）キャプチャ対象パケットストリームがＰＣのネットワークポートから見えていること、
の２点が前提となる。なお、（１）と（２）は、ＰＣの同じネットワークポートでも良いし、別のネットワークポートを利用することもあるが、どちらでも本発明には影響はない。
また、キャプチャ対象ストリームがＰＣのネットワークポートから見えるようにしておくには、一般にＮＷスイッチのミラーポートの設定などにより実施可能であるが、その具体的な手法は本発明の請求範囲から外れている。
【００１４】
図１における計測時には、測定対象サーバ５から測定対象クライアント端末３への通信パケットを、接続しているスイッチ１の設定によりミラーポート１１へコピーして、計測用ＰＣ４のキャプチャ用ポート４２をミラーポート１１に接続して、上記通信パケットをキャプチャして評価する。
また、計測用ＰＣ４は、別途、ＮＴＰサーバ２とも通信する必要があり、計測用ＰＣ４の別のＮＴＰ通信用ポート４１を利用して、ＮＴＰサーバ２との間でＮＴＰ通信を行っている。
【００１５】
計測用ＰＣ４の動作について説明する。
計測時に同時に動作させておくプロセスは、２種類必要である。
ａ．『時刻取得・記録プロセス』について、一般的なＬｉｎｕｘ  ＯＳでの実施方法を以下に示す。ここでは、１０秒毎にＩＰアドレスが１９２．１６８．０．１２３であるＮＴＰサーバ２に問い合わせを繰り返し、“ｎｔｐｄａｔｅ−ｑｕｅｒｙ．ｌｏｇ”ファイルに記録する場合を例にとる。
【００１６】
％ｔｏｕｃｈ  ｎｔｐｄａｔｅ−ｑｕｅｒｙ．ｌｏｇ
％ｗｈｉｌｅ  ｔｒｕｅ；ｄｏ  ｎｔｐｄａｔｅ  −ｑ  １９２．１６８．０．１２３＞＞ｎｔｐｄａｔｅ−ｑｕｅｒｙ．ｌｏｇ；ｓｌｅｅｐ  １０；ｄｏｎｅ（上記コマンドにより、強制終了するまで時刻取得を続ける）
これで、“ｎｔｐｄａｔｅ−ｑｕｅｒｙ．ｌｏｇ”ファイルには以下のようなデータが記録される。
【００１７】
ｓｅｒｖｅｒ  １９２．１６８．０．１２３，ｓｔｒａｔｕｍ  １，ｏｆｆｓｅｔ−０．０００２７６，ｄｅｌａｙ  ０．０２６１８
１９Ｍａｒ  １４：１３：４７  ｎｔｐｄａｔｅ［６９７１５］：ａｄｊｕｓｔ  ｔｉｍｅ  ｓｅｒｖｅｒ  １９２．１６８．０．１２３  ｏｆｆｓｅｔ−０．０００２７６ｓｅｃ
ｓｅｒｖｅｒ  １９２．１６８．０．１２３，ｓｔｒａｔｕｍ  １，ｏｆｆｓｅｔ−０．０００２５２，ｄｅｌａｙ  ０．０２６１７
１９  Ｍａｒ  １４：１３：５７  ｎｔｐｄａｔｅ［６９７１７］：ａｄｊｕｓｔ  ｔｉｍｅ  ｓｅｒｖｅｒ  １９２．１６８．０．１２３  ｏｆｆｓｅｔ−０．０００２５２  ｓｅｃ
ｓｅｒｖｅｒ  １９２。１６８。０。１２３、ｓｔｒａｔｕｍ  １，  ｏｆｆｓｅｔ−０．０００３２６，ｄｅｌａｙ  ０．０２６２０
１９  Ｍａｒ  １４：１４：０７  ｎｔｐｄａｔｅ［６９７１９］：ａｄｊｕｓｔ  ｔｉｍｅ  ｓｅｒｖｅｒ  １９２．１６８．０．１２３  ｏｆｆｓｅｔ−０．０００３２６  ｓｅｃ
ｓｅｒｖｅｒ  １９２．１６８．０．１２３，ｓｔｒａｔｕｍ  １，ｏｆｆｓｅｔ−０．０２６４，ｄｅｌａｙ  ０．０２６２０
１９  Ｍａｒ  １４：１４：１７ｎｔｐｄａｔｅ［６９７２１］：ａｄｊｕｓｔ  ｔｉｍｅ    ｓｅｒｖｅｒ１９２．１６８．０．１２３  ｏｆｆｓｅｔ−０．０００２６４ｓｅｃ・・・
【００１８】
ここで、ｓｅｒｖｅｒで始まる行のうち、ｏｆｆｓｅｔの次の値が各々の時点でのＮＴＰ−ｓｅｒｖｅｒとの時刻のズレを表す（ローカル時刻が遅れているとき、（補正すべき）正の値を示す）。
上記の例では、例えば、１９Ｍａｒ  １４：１４：１７時点でのズレは−０．０００２６４秒である（内蔵時計がＮＴＰ−ｓｅｒｖｅｒ  の伝えてくる時間より０．０００２６４秒進んでいることを表す）。
【００１９】
時計の誤差は、ほぼ一定の幅でズレが増えていく傾向を持つ。よって、上記の誤差（△τとする）を時刻Ｔの関数として、一定時間ごと（例えば、６０分毎）に統計的に回帰してやれば、各時点での補正量が計算可能である（一定時間ごとに区切っているのは、より長期的には温度変化などによる１次以上の誤差要因が無視できなくなるためである）。
すなわち、誤差推定量（△τ）は時刻Ｔの関数ｆ（Ｔ）として表現でき、
△τ＝ｆ（Ｔ）：（ＴはローカルＰＣ内蔵時計の示す現在時刻）
よって、真の時刻の推定値はＴ＋ｆ（Ｔ）となる。
【００２０】
前記のｂ．測定対象パケットをパケットキャプチャする『キャプチャプロセス』については、再度、一般的なＬｉｎｕｘ  ＰＣでのコマンド例を示すと
％ｔｃｐｄｕｍｐ  −Ｉ  ｅｔｈ０  −ｗ  ｐａｃｋｅｔ−ｃａｐｔｕｒｅ．ｐｃａｐ
ここで、以下のものは説明の都合上、仮の名称を利用している：
ｅｔｈ０：キャプチャＰＣでのキャプチャ用ネットワークＩ／ＦのＩ／Ｆ名
ｐａｃｋｅｔ−ｃａｐｔｕｒｅ．ｐｃａｐ  ：キャプチャデータ保存用のファイル名
【００２１】
このキャプチャデータ（ｐａｃｋｅｔ−ｃａｐｔｕｒｅ．ｐｃａｐ）には、時刻補正前のローカルＰＣ内蔵時計によるタイムスタンプが付与されており、不正確な時刻による記録となっているが、後に解析する際に前述で求めたｆ（Ｔ）による時刻補正をかける（各パケットに付与されたタイムスタンプｔをｔ＋ｆ（ｔ）で読み替える）ことにより、正確なタイムスタンプを推定可能である。
【００２２】
（誤差評価方法の例）
ＮＴＰサーバへの問い合わせの時刻を、（ローカルのＰＣ内蔵時計上での時刻で）ｔ，またＮＴＰサーバから応答で報告されるズレの量をｄとする：
＊ＮＴＰ問い合わせ時刻（Ｔ）：ｔ１，ｔ２，ｔ３，・・・
＊誤差量（Ｄ）：ｄ１，ｄ２，ｄ３，・・・
すなわち、統計的に評価する前の段階では、ＰＣの内蔵時計がｔ１と示している時刻は、実際には（ｔ１−ｄ１）と推定される。なお、この推定値には、毎回のＮＴＰ問い合わせの誤差が含まれるため、あまり正確ではない。
【００２３】
ここで、通常では、数列Ｔと数列Ｄの間には、ほぼ線形の相関があるので、例えば一般的な最小自乗回帰法による評価を行うと、以下の一次回帰式のパラメータ（ａ，ｂ）が求まり、任意の時刻ｔにおける誤差の推定値ｄがｆ（ｔ）という関数として評価できる：
ｄ＝ｆ（ｔ）
＝ａ＊ｔ＋ｂ
なお、数時間以上にわたって計測を実施する場合には、統計的に評価と言っても、単なる直線的にずれていく一次の変化（係数ａの効果）だけでなく、温度変化などの影響を受けて内蔵時計の刻む速度自体が変化して２次以上の誤差についても評価する必要が出てくる。これについては、１時間など適切な時間単位で区切っての折線評価などをすれば対応可能である。
この際の具体的な評価手法は、上記非特許文献１の［時刻更正法］をそのまま利用すればよい。
【００２４】
計測対象ストリームのキャプチャは、前記の定期的時刻チェックを実施しながら、同時に行うｕｎｉｘ系ｏｓであれば、ｔｃｐｄｕｍｐコマンド，ｗｉｎｄｏｗ系であれば、ｗｉｎｄｕｍ．ｅｘｅなどで可能である。
キャプチャしたパケットにパソコンのＰＳが付与するタイムスタンプは、そのままでは不正確である。
【００２５】
そこで、キャプチャしたデータを前述の誤差評価の結果を利用して真の時刻の推定値に変換する。
＊キャプチャパケット（ｐ）：ｐ１，ｐ２，ｐ３，・・・
＊キャプチャタイムスタンプ（Θ）：τ１，τ２，τ３，・・・
変換すると、以下のようにキャプチャ時間の推定時刻が求まる：
＊キャプチャの真の時間の推定値：ｆ（τ１），ｆ（τ２），ｆ（τ３），・・・
＝（１−ａ）＊τ１−ｂ，（１−ａ）＊τ２−ｂ，（１−ａ）＊τ３−ｂ，・・・
なお、前述のように、本手法では、一次回帰式に限る必要はなく、より高精度な回帰式・統計評価手法を利用すれば、それについてもそのまま適用可能である。
【００２６】
図２は、本発明による後処理時刻補正の手順を示すフローチャートである。
まず、計測時に、測定対象サーバ５から測定対象クライアント端末３への通信パケットを、接続しているスイッチ１の設定によりミラーポート１１へコピーし、計測用ＰＣ４のキャプチャ用ポート４２をミラーポート１１に接続して、上記通信パケットがキャプチャされたことを確認する（ステップ１０１）。
次に、計測用ＰＣ４は、ミラーポートからキャプチャするのと同じ時間帯に、別のＮＴＰ通信用ポート４１を利用して、ＮＴＰサーバ２との間でＮＴＰ通信を行い、一定期間毎にＮＴＰサーバ２に問い合わせコマンドを送信して、ＮＴＰサーバからの時刻補正データを収集したか否かを確認する（ステップ１０２）。例えば、１０秒毎にＮＴＰサーバ２に問い合わせを繰り返し、ＮＴＰサーバ２から受信したパケットと内蔵時計との時刻ズレを記録する。時計の誤差は、ほぼ一定の幅でズレが増えていく傾向を持つので、例えば、６０分毎に統計的に回帰してやることにより、各時点での補正量が計算可能となる。すなわち、パケットを受信した各時刻毎に補正量を計算する（ステップ１０４）。
補正量によって修正することにより、上記通信パケットキャプチャ時の正確なタイムスタンプを得る（ステップ１０５）。
【００２７】
図２に示すフローチャートのステップをプログラム化することにより、このプログラムをＣＤ−ＲＯＭなどの記録媒体に記録した後、この記録媒体を計算用ＰＣ４に装着することにより、プログラムをＰＣ４にインストールして実行させれば、容易に本発明を実現することができる。また、このＰＣ４からインターネットを経由して他のＰＣにこのプログラムのダウンロードを繰り返すことにより、プログラムの汎用化も可能である。
【図面の簡単な説明】
【００２８】
【図１】本発明による後処理時刻補正システムの構成図である。
【図２】本発明による後処理時刻補正による精度改善方法に係るフローチャートである。
【符号の説明】
【００２９】
１  スイッチ
２  ＮＴＰサーバ
３  測定対象クライアント端末
４  計測用ＰＣ
５  測定対象サーバ
１１  ミラーポート
４１  ＮＴＰ通信用ポート
４２  キャプチャ用ポート
【図１】
0005053918.tif 000002
【図２】
0005053918.tif 000003